(57)【要約】【課題】インナーシェルを座アウターシェルにビスとナットで締結した椅子用座において、ナットの組み込みをワンタッチ的に行うことを可能ならしめる。【手段】ナット１８は張り出し部１８ａを有する小判形で、円筒部１８ｂを有している。インナーシェル８の締結部１６は、ビス挿通穴２１が空いたナット受け部２０と、ナット１８をねじ込み方向に回転不能に保持する回り止めストッパー２３と、ナット１８をインナーシェル８から離反不能に保持する抜け止めストッパー２４と、ナット１８の戻り回転を阻止する補助ストッパー２６とを有している。ナット１８は、ナット受け部２０のフリーゾーンに重ねて押しながら回転させるワンタッチ的な操作により、回転不能で抜け不能の状態に保持される。【選択図】図５
2008136598.tif 000002
【特許請求の範囲】
【請求項１】
表面にクッションが張られた合成樹脂製のインナーシェルと、前記インナーシェルの裏側に配置された支持部材とを備えており、前記インナーシェルに、その表面側にナットの座面が重なるナット受け部を設けており、前記支持部材に裏側から挿通したビスをインナーシェルのナットにねじ込むことによってインナーシェルが支持部材に締結されている、
という椅子の座又は背もたれであって、
前記ナットは、雌ねじ穴の軸心方向から見て少なくとも一対の張り出し部を有する非円形に形成されている一方、
前記インナーシェルのナット受け部の外側には、ナットにおける張り出し部の側面に当接してナットを前記ビスのねじ込み方向に回転不能に保持する回り止めストッパーと、前記回り止めストッパーでビスのねじ込み方向に回転不能に保持されたナットの張り出し部に座面と反対側から重なる抜け止めストッパーとが形成されており、ナットを両ストッパーに当たらない状態でナット受け部に重ねてからビスのねじ込み方向に回転させることにより、ナットの張り出し部が回り止めストッパーに当たると共に抜け止めストッパーと重なるようになっている、
椅子の座又は背もたれ。
【請求項２】
前記ナットは、張り出し部の外周を円弧状と成した小判形に形成されていると共に前記ビス挿通穴に嵌まる円筒部を有して断面凸形になっている一方、
前記インナーシェルのナット受け部には、前記張り出し部を回り止めストッパーに当てた状態のナットの側面に当たることでナットがビスのねじ戻し方向に回転することを阻止する補助ストッパーが設けられており、ナットが回り止めストッパーに当たっていない状態では補助ストッパーがナットの座面に当たるようになっており、
更に、ナット受け部のうち前記補助ストッパーを設けた部分は、前記補助ストッパーが抜け止めストッパーから逃げる方向に移動することを許容するため、スリットで区画されていて撓み変形可能な片持ち梁状部になっている、
請求項１に記載した椅子の座又は背もたれ。
【発明の詳細な説明】
【技術分野】
【０００１】
本願発明は、椅子の座又は背もたれに関するものであり、より正確には、合成樹脂製のインナーシェルの表面にクッションを張っている椅子用座又は椅子用背もたれに関するものである。
【背景技術】
【０００２】
事務用等の椅子において、座又は背もたれを合成樹脂製のインナーシェル（座板又は芯板と呼んでも良い）にクッションを張った構造にすることが広く行われている。インナーシェルは支持部材に固定する必要があり、この固定手段としては、ビスによる固定や、弾性変形する爪類を利用したスナップ係合などが採用されているが、ビスによる固定は高い締結強度を得ることができる利点がある。
【０００３】
座においては、インナーシェルを下方に沈むように撓み変形する構成とすることで高いクッション性を得ることが可能であり、この場合、インナーシェルと支持部材（例えば合成樹脂製のアウターシェル）との締結箇所には大きな荷重がかかるが、ビスによる締結を採用するとしっかりと固定できる利点がある。
【０００４】
椅子の組み立てにおいては、座にしても背もたれにしても予めインナーシェルにクッションを張っているため、インナーシェルを支持部材にビスで固定するにおいては、ビスを支持部材にその裏側（座の場合は下方から、背もたれの場合は背面側から）から挿通することになる。そして、ビスによる締結として、インナーシェルに雌ねじ穴を形成することも可能ではあるが、インナーシェルは合成樹脂製であって強度が高くないため、ナットを使用することが一般的である。
【０００５】
ナットをインナーシェルに回転不能に配置する方法としては、インナーシェルの成形時に予めナットをインサートしておく方法（例えば特許文献１参照）と、インナーシェルを成形してからナットを取り付ける方法とがある。
【特許文献１】特公昭５２−２８０６５号公報
【発明の開示】
【発明が解決しようとする課題】
【０００６】
近年、環境負荷の低減や資源再利用のため、廃棄物は同種素材ごとに分別することが社会的要請になっているが、ナットをインサート成形によってインナーシェルに取り付けると、座又は背もたれの廃棄後の分別が厄介になるという問題がある。従って、リサイクル促進や廃棄処理コスト抑制のためにはナットを後付けすることが好ましいが、ナットは、ビスのねじ込みを可能ならしめるために回転不能及び抜け不能に保持されている必要がある。また、取付けの容易性も必要である。
【０００７】
本願発明は、このような要請に応えるべく成されたものである。
【課題を解決するための手段】
【０００８】
本願発明は、表面にクッションが張られた合成樹脂製のインナーシェルと、前記インナーシェルの裏側に配置された支持部材とを備えており、前記インナーシェルに、その表面側にナットの座面が重なるナット受け部を設けており、前記支持部材に裏側から挿通したビスをインナーシェルのナットにねじ込むことによってインナーシェルが支持部材に締結されている、という椅子の座又は背もたれを対象にしており、前記ナットは、雌ねじ穴の軸心方向から見て少なくとも一対の張り出し部を有する非円形に形成されている。
【０００９】
そして、請求項１の発明では、上記の構成に加えて、前記インナーシェルのナット受け部の外側には、ナットにおける張り出し部の側面に当接してナットを前記ビスのねじ込み方向に回転不能に保持する回り止めストッパーと、前記回り止めストッパーでビスのねじ込み方向に回転不能に保持されたナットの張り出し部に座面と反対側から重なる抜け止めストッパーとが形成されており、ナットを両ストッパーに当たらない状態でナット受け部に重ねてからビスのねじ込み方向に回転させることにより、ナットの張り出し部が回り止めストッパーに当たると共に抜け止めストッパーと重なるようになっている。
【００１０】
請求項２の発明では、請求項１において、まず、前記ナットは、張り出し部の外周を円弧状と成した小判形に形成されていると共に前記ビス挿通穴に嵌まる円筒部を有して断面凸形になっている。
【００１１】
他方、前記インナーシェルのナット受け部には、前記張り出し部を回り止めストッパーに当てた状態のナットの側面に当たることでナットがビスのねじ戻し方向に回転することを阻止する補助ストッパーが設けられており、ナットが回り止めストッパーに当たっていない状態では補助ストッパーがナットの座面に当たるようになっており、更に、ナット受け部のうち前記補助ストッパーを設けた部分は、前記補助ストッパーが抜け止めストッパーから逃げる方向に移動することを許容するため、スリットで区画されていて撓み変形可能な片持ち梁状部（舌片状部と呼んでも良い）になっている。
【発明の効果】
【００１２】
本願発明によると、ナットは、インナーシェルのナット受け部に重ねてから雌ねじ穴の軸心回りに回転させるというワンタッチ的な作業により、ビスをねじ込みできる状態に取付けられる。従って、ナットの取付け作業が簡単であり、かつ、廃棄後においてインナーシェルとナットとの分別作業も頗る簡単である。
【００１３】
請求項２のように構成すると、ナットは補助ストッパーによってビスの戻り回転方向にも回転しない状態に保持されているため、ナットをインナーシェルに取付けてから椅子として組み立てるまでの間の運搬時等においてナットが脱落するといったことを防止できる利点がある。この場合、補助ストッパーを設けている片持ち梁状部が弾性変形するため、補助ストッパーを設けたことによってナットの取付けの容易性が損なわれることはない。
【００１４】
また、ビスのねじ戻しに際して補助ストッパーによってナットを戻り回転不能に保持することが可能になる利点もある（但し、ビスの戻し回転に際してナットが補助ストッパーを乗り越えて回転しても、ナットはある程度回転すると回り止めストッパーによって回転不能に保持されるため、補助ストッパーは脱落防止機能を発揮し得たら良い。）。
【発明を実施するための最良の形態】
【００１５】
次に、本願発明の実施形態を図面に基づいて説明する。
【００１６】
(1).椅子の概略
図１は椅子の一例を示す外観斜視図であり、本実施形態は、事務用等に使用される回転椅子の座に適用している。椅子は、脚支柱１と座２とロッキング式の背もたれ３とを備えている。脚１は脚支柱４に固定れたベース５を有しており、ベース５の上方に座２が配置されている。なお、本実施形態の椅子は、座２は前後一対ずつの支持リンク６で後退動及び下降動可能に支持されており、人が着座すると座２が下降し、この座２の下降動に連動して背もたれ３のランバーサポート部が前進するようになっている。
【００１７】
座２及び座アウターシェル７は、縦断正面視では上向き凹状に緩く湾曲しており、縦断側面視では、図４（Ａ）に示すように湾曲しており、周囲部を除いた箇所では、インナーシェル８と座アウターシェル７との間に空間が空いている。
【００１８】
図２に示すように、座２の下方には支持部材の一例として合成樹脂製の座アウターシェル７が配置されており、この座アウターシェル７に前記した支持リンク６が連結されている。座２は、合成樹脂製のインナーシェル８とその上面（表面）に貼ったクッション９、及びクッション９を覆うクロス（表皮材１０）を備えており、インナーシェル８は前後左右４箇所の位置においてビス１１で座アウターシェル７に固定されている。
【００１９】
図３はインナーシェル８の底面図であり、この図に示すように、インナーシェル８には、左右中間部に形成された前後長手のセンタースリット１２の群と、左右両端寄りに形成された前後長手のサイドスリット１３の群と、センタースリット１２の群（図２では省略している）とサイドスリット１３の群との間に形成された略左右横長の中間スリット１４の群とが形成されており、これらスリット１２，１３，１４の存在によってインナーシェル８が伸び変形することと、既述のとおりインナーシェル８と座アウターシェル７との間に空間が空いていることとにより、人が着座するとインナーシェル８は沈み込むように変形する。そして、この変形（伸び変形）によって高いクッション性が確保されている。
【００２０】
インナーシェル８のうち左右両縁とサイドスリット１３の群との間の部分は伸び変形しない板状エリア１５になっており、この板状エリア１５の前後２箇所の部位に締結部（ナット装着部）１６を形成し、この締結部１６に装着したナットに前記ビス１１がねじ込まれるようになっている。
【００２１】
(2).締結構造の詳細
以下、インナーシェル８の取付け構造を図４（Ｂ）以下の図面に基づいて説明する。図４のうち（Ｂ）及び（Ｃ）は部分的な平面図、（Ｄ）は（Ｃ）のＤ−Ｄ視断面図、（Ｅ）は（Ｃ）のＥ−Ｅ視断面図、図５のうち（Ａ）はナット１８の平面図、（Ｂ）は（Ａ）のＢ−Ｂ視断面図、（Ｃ）は図４（Ｃ）の拡大図、（Ｄ）（Ｅ）は組み立てた状態でクッション９を省略した状態での（Ｃ）のＤ−Ｄ視断面図、Ｅ−Ｅ視断面図である。
【００２２】
本実施形態では使用するナット１８は、基本的には板状で図５（Ａ）（Ｂ）に示すように短辺と長辺とを有する細長い小判形になっており、このため、ナット１８は短辺の内接円の外側にはみ出た張り出し部１８ａを有している。張り出し部１８ａの外周面は雌ねじ穴１９と同心の円弧状に形成されている。また、ナット１８の片面（実施形態の使用状態では下面）に円筒部１８ｂが一体に形成されている。円筒部１８ｂの外径はナット１８の幅寸法よりも小径になっており、このため、ナット１８は、長手方向から見ても幅方向から見ても凸形になっている。
【００２３】
インナーシェル８の各締結部１６は、ナット１８の座面が重なるナット受け部２０を有しており、ナット受け部２０には、ナット１８の円筒部１８ｂが嵌まるビス挿通穴２１が貫通している。ビス挿通穴２１を挟んだ対称の２箇所の部位に、ビス挿通穴２１を囲うように延びる円弧状の周壁２２が形成されている。周壁２２はナット１８の厚さ（正確には筒部１８ｂを除いた基部の厚さ）よりもやや高くなっており、かつ、一対の周壁２２の間には、当該両周壁２２の間においてナット１８をナット受け部２０に重ね得るように間隔が空いている。
【００２４】
すなわち、インナーシェル８の締結部１６のうち両周壁２２で挟まれた部分は、ナット１８をインナーシェル８の表面と直交した方向に重ね合わせ・離反自在なフリーゾーンになっている。なお、後方に位置した締結部１６では、周壁２２は手前側にのみ形成されており、後部の回り止めストッパー２３と抜け止めストッパー２４とはその上面が同じ高さになって板状部１５の上面に連続している。
【００２５】
周壁２２の内周面の曲率半径はナット１８の外接円と同じか僅かに大きい寸法に設定されており、そして、両周壁２２に、ナット１８をナット受け部２０に重ねてからビス１１のねじ込み方向に回転させるとナット１８における張り出し部１８ａの側面が当たってそれ以上の回転を阻止する回り止めストッパー２３と、ナット１８を雌ねじ穴１９の軸方向に抜け不能に保持する庇状の抜け止めストッパー２４とが一体に形成されている。抜け止めストッパー２４は周壁２２の中間部に部分的に形成しているが、周壁２２の全長又は略全長にわたった延びるように形成することも可能である。
【００２６】
インナーシェル８のナット受け部２０には、ビス挿通穴２１を部分的に囲うように略円弧状のスリット２５が形成されている。スリット２５は、２つの抜け止めストッパー２４の近傍部を端として略円弧状に延びており、このためナット受け部２０は、外形が略半円状になっていてスリット２５で囲われて片持ち梁状部２０ａを有している。そして、ナット受け部２０の片持ち梁状部２０ａの先端部に、ナット１８の両張り出し部１８ａが回り止めストッパー２３に当たった状態になる当該ナット１８の長手中間部の側面に当たる補助ストッパー２６を突設している。
【００２７】
補助ストッパー２６の高さ寸法はナット１８における基板部の厚さ寸法よりも遥かに小さい寸法になっている。補助ストッパー２６の高さがあまり高くないのは、ナット１８はその座面を補助ストッパー２６に当てた状態で回転させて、ナット受け部２０の片持ち梁状部２０ａを下向きに倒れるように撓み変形させることでナット１８に抜け止めストッパー２４が重なることを可能ならしめていることから、補助ストッパー２６の高さをあまり高くするとナット１８を回転させることがきないからである。なお、本願発明ではナット１８は取付けに際して約６０°程度回転させている。
【００２８】
スリット２５は補助ストッパー２６の外側において広くなっている。また、スリット２５の端部はやや広幅になっていて平面視で抜け止めストッパー２４と重なっている。これは、インナーシェル８を射出成形によって製造するにおいて、一対の金型のいわゆる抜き違いによって抜け止めストッパー２４を形成するためである。
【００２９】
インナーシェル８のうち各締結部１６の箇所には、下向きに開口した円形の嵌合穴２７が形成されている。嵌合穴２７の内径はナット１８の外接円の直径と略同じになっている（換言すると、ナット受け部２０の外径と略同じになっている。）。そして、座アウターシェル７のうち平面視でインナーシェル８の締結部１６と重なった４箇所には、インナーシェル８の凹所２７に嵌合する平面視円形で断面台形状の上向き台座２８が一体に形成されており、この台座２８の上面板にビス１１を貫通させてナット１８にねじ込んでいる。台座２８の上面にはナット受け部２０の片持ち梁状部２０ａが嵌まり込み得る上向き開口した凹所２９を形成している。
【００３０】
図５（Ｄ）（Ｅ）では片持ち梁状部２０ａの下面が台座２８の上端面と重なった状態を描いているが、ビス１１を一杯にねじ込むと、片持ち梁状部２０ａは弾性変形してその大部分が台座２８におけるナット受け部２０の上面に重なった状態になる。このようにインナーシェル８の嵌合穴２７と座アウターシェル７の台座２８とが嵌まり合うことにより、インナーシェル８は４本だけのビス１１で締結した状態であって座アウターシェル７に対してずれ不能に保持され、高い締結強度が確保される。
【００３１】
(3).まとめ
既に説明したように、ナット１８は、締結部１６のフリーゾーンに重ねてから押さえ気味にしてビス１１のねじ込み方向に回転させる、という単純を作業で戻り回転不能尾よ抜け不能に保持される。従って、運搬等においてナット１８が脱落することはなく、また、ビス１１のねじ込みは支障なく行える。
【００３２】
そして、座２を廃棄するにあたっては、ナット１８は下向きに押して片持ち梁状部２０ａを弾性変形させた状態でビス１１のねじ戻し方向に回転させることにより、簡単に抜き外すことができ、このため分別作業は頗る楽である。
【００３３】
なお、ビス１１をねじ戻すと、場合によってはナット１８が補助ストッパー２６を乗り越えてフリーゾーンに重なる姿勢に戻り回動することが有り得るが、この場合は、ナット１８がある程度もどり回転すると回り止めストッパー２３に当たってそれ以上の戻り回転が阻止される。従って、ビス１１のねじ込みに支障はない（戻り回動した状態でのナット１８の抜け防止のため、図５（Ｃ）に一点鎖線で示すように、回り止めストッパー２３に庇状の補助抜け止め部３０を形成することも可能であり、この補助抜け止め部３０は、既述したのと同じ金型の抜き違い法によって簡単に形成できる。）。
【００３４】
本実施形態のように周壁２２に回り止めストッパー２３と抜け止めストッパー２４とを一体に形成すると、周壁２２と回り止めストッパー２３と抜け止めストッパー２４とが全体として一つのリブ状になるため、回り止めストッパー２３や抜け止めストッパー２４の強度を向上できる利点がある。
【００３５】
また、ナット１８に円筒部１８ｂを設けると、円筒部１８ｂが位置決めと回転軸との役割を果たすためと、ナット１８の取付けを一層容易ならしめることができ、かつ、雌ねじ穴１９の長さが長くなるかめビス１１と十分な螺合長さを確保して高い締結強度を保持できる。
【００３６】
なお、クッション９はインナーシェル８とは別体に製造してワイヤー等を使用してインナーシェル８に取付けても良いし、或いは、インサート成形法によって一体に貼り付けても良い。後者の場合は、ナット１８の雌ねじ穴１９には、クッション９が入り込むことを防止するキャップを嵌め込んでおくのが好ましい。
【００３７】
(4).その他
本願発明は上記の実施形態の他にも様々に具体化できる。まず、ナット１８は必ずしも円筒部を設ける必要はなく、単なる板状であっても良い。また、雌ねじ穴の軸線方向から見た形状も小判形には限らず、長方形や正方形、楕円形といった形状も採用できる。
【００３８】
回り止めストッパー及び抜け止めストッパーの形態もその機能を発揮する限りどのような形態も採用できる。補助ストッパーを設ける場合は、例えば、抜け止めストッパーの端部に形成する（実施形態の場合でいうと、抜け止めストッパーをナットの端まで延びるように形成して、その端部に下向きの補助ストッパーを形成する）ことも可能である。
【００３９】
更に、本願発明は背もたれに適用できるのであり、更に、インナーシェルを金属製（板金製やダイキャスト製）の支持部材（支持フレーム）に固定する場合にも適用できる。
【図面の簡単な説明】
【００４０】
【図１】本願発明が適用された座を有する椅子の斜視図である。
【図２】座と座アウターシェルとの分離斜視図である。
【図３】インナーシェルの底面図である。
【図４】座の縦断側面形状及び締結部の形態を示す図である。
【図５】（Ａ）はナット１８の平面図、（Ｂ）は（Ａ）のＢ−Ｂ視断面図、（Ｃ）は図４（Ｃ）の拡大図、（Ｄ）（Ｅ）は組み立てた状態でクッションを省略した状態での（Ｃ）のＤ−Ｄ視断面図、Ｅ−Ｅ視断面図である。
【符号の説明】
【００４１】
２  座
３  背もたれ
７  支持部材の一例として座アウターシェル
８  インナーシェル
９  クッション
１６  インナーシェルの締結部
１８  ナット
１９  雌ねじ穴
２０  ナット受け部
２０ａ  片持ち梁状部
２１  ビス挿通穴
２２  周壁
２３  回り止めストッパー
２４  抜け止めストッパー
２５  スリット
２６  補助ストッパー
２８  座アウターシェルの台座
【図１】
2008136598.tif 000003
【図２】
2008136598.tif 000004
【図３】
2008136598.tif 000005
【図４】
2008136598.tif 000006
【図５】
2008136598.tif 000007